(57)【特許請求の範囲】
【請求項１】
ヘッドホンの音筒部に着脱自在に外嵌される筒状の基部と、
前記ヘッドホンの使用時に外耳道内壁に接触する傘状部と、
を備えたイヤーピースであって、
前記基部の内周面に一端部側から他端部側にかけて形成された溝部と、
前記溝部を塞ぐ位置に可撓性を有して形成され前記溝部を分割する弁体と、
を備え、
前記基部が前記音筒部に外嵌して、前記溝部と前記音筒部とにより前記弁体で分割された前記一端部側の第１の空間と前記他端部側の第２の空間とが形成された状態で、
前記弁体は、前記第１の空間と前記第２の空間との圧力差によって撓んで前記第１の空間と前記第２の空間との間の通気を許容することを特徴とするイヤーピース。
【請求項２】
前記溝部と前記弁体との組は、周方向に離隔して複数形成されていることを特徴とする請求項１記載のイヤーピース。
【請求項３】
前記溝部の周方向の位置に応じた外観上視認可能なマークを有することを特徴とする請求項１又は請求項２記載のイヤーピース。
【請求項４】
前記第１の空間又は前記第２の空間のうちの一方は、前記ヘッドホンの使用時に外部空間と連通する空間であり、
前記外部空間と連通する空間における前記外部空間側の部分には、前記外部空間と連通する空間における他の部分よりも、前記筒状の基部の径方向に広い空間の空気室が形成されていることを特徴とする請求項１〜３のいずれか１項に記載のイヤーピース。
【請求項５】
ハウジングと、
前記ハウジングから筒状に突出した音筒部と、
前記ハウジング又は前記音筒部に取り付けられたスピーカユニットと、
前記音筒部に着脱自在に嵌着され先端に前記スピーカユニットからの音声を放出するための開口部を有するイヤーピースと、
を備えたヘッドホンであって、
前記イヤーピースと前記音筒部とに囲まれて形成され前記開口部側の外部空間と前記ハウジング側の外部空間とを繋ぐ通気路と、
前記通気路を塞ぐ位置に可撓性を有して形成されて前記通気路を分割すると共に、分割された前記通気路の一方側の内圧と他方側の内圧との圧力差によって撓んで前記一方側と前記他方側との間の通気を許容する弁体と、
を備えたことを特徴とするヘッドホン。
【請求項６】
前記弁体は、分割された前記通気路の一方側の内圧と他方側の内圧との圧力差が所定値以上の場合に、前記一方側と前記他方側との間の通気を許容するよう形成されており、
前記所定値は、前記通気路を備えていない場合に前記ヘッドホンを使用するため前記イヤーピースを外耳道内に挿入した際に上昇する外耳道内圧の最大値より小さく、かつ、前記ヘッドホンの使用状態における前記スピーカユニットの最大出力時の前記外耳道内圧の最大値を超える範囲にあることを特徴とする請求項５記載のヘッドホン。
【請求項７】
前記通気路と前記弁体との組は、周方向に離隔して複数形成されていることを特徴とする請求項６記載のヘッドホン。
【請求項８】
前記イヤーピースは、前記通気路の周方向の位置に応じた外観上視認可能なマークを有することを特徴とする請求項５〜７のいずれか１項に記載のヘッドホン。
【請求項９】
前記通気路における前記外部空間側の部分には、前記通気路における他の部分よりも、前記音筒部の径方向に広い空間の空気室が形成されていることを特徴とする請求項５〜８のいずれか１項に記載のヘッドホン。
【発明の詳細な説明】
【技術分野】
【０００１】
本発明は、イヤ−ピ−ス及びヘッドホンに係る。
【背景技術】
【０００２】
カナル型（あるいは耳栓型，挿入型など）と称され、着脱可能なイヤーピースを備えたインナーイヤータイプのヘッドホンが知られている。
カナル型のヘッドホンは、そのハウジングに筒状に突出した音筒部が形成されており、ゴムなどで形成された柔軟なイヤーピースがその音筒部に被されるように着脱自在に嵌着されるようになっている。
また、スピーカユニットは、ハウジング内に収容されているか又は音筒部の先端に配接されている。
このようなカナル型のヘッドホンは、使用状態において、音筒部がそれに嵌着させたイヤーピースと共に外耳道内に挿入され、ハウジングが耳介内に良好に保持され得るように全体の形状が決められている。
【０００３】
イヤーピースの先端部には、放音孔として開口部が形成されており、使用時にスピーカユニットから出力された音声は、スピーカユニットがハウジング内に収容されている場合は音筒部とイヤーピースの開口部とを介して、また、スピーカユニットが音筒部の先端に配設されている場合は、イヤーピースの開口部を介して、外耳道の内部に放出される。
イヤーピースは、外耳道内に挿入された状態でその内壁に沿ってほぼ密着する傘状部を有している。また、音筒部に対しても隙間なく嵌着するようになっている。
そのため、このヘッドホンの使用状態で外耳道内は概ね密閉状態になっており、遮音性が高く、外部からの騒音の進入及びスピーカユニットからの音声の外部への漏出が良好に低減される。
従って、カナル型のヘッドホンのユーザは、外部騒音の影響を受けることなく高品位の音声を聞くことができ、さらには、漏出音が周囲の人々に不快感を与える虞が少なくなっている。
【０００４】
一方、カナル型のヘッドホンは、上述のように遮音性が高いことから、外部の音が聴取できた方がよい場合にその音が聞こえ難いという不具合が生じ得る。
この不具合を解消するため、イヤーキャップ（イヤーピースに相当）に、使用状態で外部の音を外耳道内へ導くための通気孔を設けることが特許文献１により提案されている。
【先行技術文献】
【特許文献】
【０００５】
【特許文献１】特開２０１２−０１５６８９号公報
【発明の概要】
【発明が解決しようとする課題】
【０００６】
ところで、カナル型のヘッドホンでは、イヤーピースを外耳道内に挿入する過程で、イヤーピースが外耳道内の所定位置に達する前の、傘状部が外耳道の入口に入り込んだ時点で、すでに傘状部と外耳道内内壁とが密着して外耳道内の空間がほぼ密閉状態となる。
従って、その位置からさらに所定位置まで押し込むと、外耳道内の空間の空気は逃げ場がなく圧縮されて圧力が高くなる。
スピーカユニットが一般的なダイナミック式の場合、この高い圧力によって振動板が駆動軸方向に大きく移動する、或いは部分的に変形する（例えば潰れる。潰れた際には多くの場合異音が発生する）などの現象が引き起こされる。
前者は、音量低下やボイスコイルの断線、後者は音質劣化や異音の発生という不具合の原因となる。
【０００７】
特許文献１に記載されたヘッドホンでは、イヤーピースが外耳道内に挿入された使用状態において、そのイヤーピースに外耳道内と外部とを連通する通気孔が設けられているので外耳道内の空間が密閉されることはない。従って、上述の不具合は発生しない。
しかしながら、使用状態において外部騒音が外耳道内に進入し得るので、本来の音声に騒音が混ざり、ユーザが高品位の音声を聴取することが難しい場合がある、という問題があった。
【０００８】
そこで、本発明が解決しようとする課題は、耳への装着に伴う振動板起因の不具合発生を防止しつつ、遮音性が高くユーザが高品位の再生音を聴取できるイヤーピース及びヘッドホンを提供することにある。
【課題を解決するための手段】
【０００９】
上記の課題を解決するために、本発明は次の１）〜９）のいずれかの構成を有する。
１）  ヘッドホン(51)の音筒部(1a)に着脱自在に外嵌される筒状の基部(5a)と、
前記ヘッドホン(51)の使用時に外耳道内壁に接触する傘状部(5b)と、
を備えたイヤーピースであって、
前記基部(5a)の内周面に一端部側から他端部側にかけて形成された溝部(5g)と、
前記溝部(5g)を塞ぐ位置に可撓性を有して形成され前記溝部(5g)を分割する弁体(5h)と、
を備え、
前記基部(5g)が前記音筒部(1a)に外嵌して、前記溝部(5g)と前記音筒部(1a)とにより前記弁体(5h)で分割された前記一端部側の第１の空間(A)と前記他端部側の第２の空間(B)とが形成された状態で、
前記弁体(5h)は、前記第１の空間(A)と前記第２の空間(B)との圧力差(PS1)によって撓んで前記第１の空間(A)と前記第２の空間(B)との間の通気を許容することを特徴とするイヤーピース(5)である。
２）  前記溝部(5g)と前記弁体(5h)との組は、周方向に離隔して複数形成されていることを特徴とする１）に記載のイヤーピース(5)である。
３）  前記溝部(5g)の周方向の位置に応じた外観上視認可能なマーク(5m)を有することを特徴とする１）又は２）に記載のイヤーピース(5)である。
４）  前記第１の空間(A)又は前記第２の空間(B)のうちの一方は、前記ヘッドホン(51)の使用時に外部空間と連通する空間であり、
前記外部空間と連通する空間における前記外部空間側の部分には、前記外部空間と連通する空間における他の部分よりも、前記筒状の基部(5a)の径方向に広い空間の空気室(5j)が形成されていることを特徴とする１）〜３）のいずれか一つに記載のイヤーピース(51)である。
５）  ハウジング(1H)と、
前記ハウジング(1H)から筒状に突出した音筒部(1a)と、
前記ハウジング(1H)又は前記音筒部(1a)に取り付けられたスピーカユニット(7)と、
前記音筒部(1a)に着脱自在に嵌着され先端に前記スピーカユニット(7)からの音声を放出するための開口部(5c)を有するイヤーピース(5)と、
を備えたヘッドホンであって、
前記イヤーピース(5)と前記音筒部(1a)とに囲まれて形成され前記開口部(5c)側の外部空間(V1)と前記ハウジング(1H)側の外部空間(V2)とを繋ぐ通気路(TK)と、
前記通気路(TK)を塞ぐ位置に可撓性を有して形成されて前記通気路(TK)を分割すると共に、分割された前記通気路(TK)の一方側の内圧と他方側の内圧との圧力差によって撓んで前記一方側と前記他方側との間の通気を許容する弁体(5h)と、
を備えたことを特徴とするヘッドホン(51)である。
６）  前記弁体(5h)は、分割された前記通気路の一方側の内圧と他方側の内圧との圧力差が所定値(PS1)以上の場合に、前記一方側と前記他方側との間の通気を許容するよう形成されており、前記所定値(PS1)は、前記通気路(TK)を備えていない場合に前記ヘッドホン(51)を使用するため前記イヤーピース(5)を外耳道内に挿入した際に上昇する外耳道内圧の最大値(P1)より小さく、かつ、前記ヘッドホン(51)の使用状態における前記スピーカユニット(7)の最大出力時の前記外耳道内圧の最大値(P3)を超える範囲にあることを特徴とする５）に記載のヘッドホン(51)である。
７）  前記通気路(TK)と前記弁体(5h)との組は、周方向に離隔して複数形成されていることを特徴とする６）に記載のヘッドホン(51)である。
８）  イヤーピース(5)は、前記通気路(TK)の周方向の位置に応じた外観上視認可能なマーク(5m)を有することを特徴とする５）〜７）のいずれか一つに記載のヘッドホン(51)である。
９）  前記通気路(TK)における前記外部空間側の部分には、前記通気路(TK)における他の部分よりも、前記音筒部(1a)の径方向に広い空間の空気室(5j)が形成されていることを特徴とする５）〜８）のいずれか一つに記載のヘッドホン(51)である。
【発明の効果】
【００１０】
本発明によれば、遮音性が高くユーザが高品位の再生音を聴取できる、という効果が得られる。
【図面の簡単な説明】
【００１１】
【図１】本発明の実施形態におけるヘッドホンを示す外観斜視図である。
【図２】本発明の実施形態におけるイヤーピースを示す外観斜視図である。
【図３】本発明の実施形態におけるイヤーピースを説明するための断面図である。
【図４】本発明の実施形態におけるイヤーピースを説明するための他の切断位置での斜視的断面図である。
【図５】本発明の実施形態におけるヘッドホンを説明するための部分断面図である。
【図６】本発明の実施形態におけるヘッドホンの要部を説明するための部分断面図である。
【図７】本発明の実施形態におけるイヤーピースの要部の機能を説明するための斜視図である。
【図８】外耳道内の圧力変動について説明するための図である。
【図９】本発明の実施形態におけるイヤーピースの変形例を説明するための部分断面図である。
【図１０】本発明の実施形態におけるイヤーピースの別の変形例を説明するための部分断面図である。
【図１１】本発明の実施形態におけるイヤーピースの他の変形例を説明するための外観斜視図である。
【発明を実施するための形態】
【００１２】
本発明の実施の形態を、好ましい実施例により図１〜図１１を用いて説明する。
まず、図１〜図５を参照して実施形態のイヤーピース５及びヘッドホン５１を説明する。
図１は、イヤーピース５が装着されたヘッドホン５１の全体外観を示す斜視図である。図２は、イヤーピース５の外観を示す斜視図である。図３は、イヤーピース５の縦断面図である。図４は、図３に対して軸まわりに９０°ずれた位置での断面を斜視的に示した図である。図５は音筒部１ａに装着された状態のイヤーピース５を説明するための音筒部１ａ近傍の断面図である。図５の断面位置は、軸まわりに９０°ずれて(図４のＳ１−Ｓ１断面）設定されている。
【００１３】
図１に示されるように、実施形態のヘッドホン５１は、本体部１と、本体部１から延出するように設けられてブッシング２と、ブッシング２の先端から引き出されたコード３と、を有している。
本体部１は、例えば、樹脂，金属，木などを材料として形成された略円柱形状のハウジング１Ｈを有し、ハウジング１Ｈの一端側からは円筒状の音筒部１ａが延出して設けられている。音筒部１ａには、着脱自在にイヤーピース５が嵌着されている。
【００１４】
図５に示されるように、音筒部１ａの先端には音筒部１ａよりも僅かに大径なる鍋状のユニットホルダ６が、かしめ等により固着されている。
ユニットホルダ６の内部にはスピーカユニット７が収容されている。
ユニットホルダ６の底部６ａには、図示しない放音孔が設けられており、スピーカユニット７の放音面７ａから図５の右方側へ出力された音声は、放音孔を通して外部に放出される。
スピーカユニット７の放音面７ａとは反対側の裏面７ｂには、一対の端子７ｃが設けられており，各端子７ｃに接続された単コード３ａ，３ｂは一本のコード３としてブッシング２の内部を通り外部に延出されている。
ブッシング２は柔軟性を有する材料（ゴム等）で形成され、本体部１のハウジング１Ｈに嵌着されている。
【００１５】
イヤーピース５は、シリコーンゴム等の柔軟性を有する材料で形成されている。
イヤーピース５は、音筒部１ａの外周面に嵌合する円筒状の基部５ａと、基部５ａの一端側（図５の右方側）にそこを起点として連結し、基部５ａを覆うように他端側に向けてクラゲのように傘状に延出する傘状部５ｂと、を有している。傘状部はイヤーピース５が外耳道内に挿入されたときに柔らかく変形して外耳道の内壁に密着するように接触する部位である。
基部５ａの一端側には基部５ａの軸線ＣＬ１方向の中央部位よりも小径の開口部５ｃが放音孔として設けられている。
基部５ａの内周面は、音筒部１ａ及びユニットホルダ６の外周径に応じて形成された複数の部位を有する。
すなわち、基部５ａは、開口部５ｃ側に形成されユニットホルダ６の外径とほぼ同じ内径を有するホルダ嵌合部５ｄと、音筒部１ａの外径とほぼ同じ内径を有する音筒嵌合部５ｅと、音筒部１ａに設けられた周溝部１ａ１に対し軸方向及び径方向にガタなく嵌合する周リブ部５ｆと、を有している。
イヤーピース５を音筒部１ａに嵌着した際に、ホルダ嵌合部５ｄはユニットホルダ６の外周面に密着し、音筒嵌合部５ｅは音筒部１ａの外周面に密着し、周リブ部５ｆは周溝部１ａ１の外周面に密着する。
【００１６】
また、イヤーピース５は、周方向において少なくとも１箇所、音筒部１ａに嵌着した状態で開口部５ｃの内側の空間Ｖ１とハウジング１Ｈの外側の空間Ｖ２とを連通可能とする通気路となる通気部ＴＫを有している。
通気部ＴＫは、具体的には、ホルダ嵌合部５ｄ，音筒嵌合部５ｅ，及び周リブ部５ｆにおいて、それぞれ所定の周方向幅で所定の深さに抉られると共に軸線ＣＬ１に沿って連続的に形成溝部５ｇを有して形成されている。また、通気部ＴＫには、溝部５ｇの凹みを幅方向に塞ぎ溝部５ｇを軸線ＣＬ１方向で分割する鰭（ひれ）状の鰭部５ｈが形成されている。
具体的には、鰭部５ｈは、図５において、溝部５ｇと音筒部１ａとで囲まれた空間を、開口部５ｃ側の空間Ａと周リブ部５ｆ側の空間Ｂとに分割している。
図３及び図４に示された例では、溝部５ｇは周方向に１８０°離れて一対設けられ、鰭部５ｈはユニットホルダ６よりもハウジング１Ｈ側の音筒部１ａに対応する位置に形成されている。
【００１７】
次に、鰭部５ｈの詳細について図６〜図８を主に参照して説明する。図６は、図５におるＳ２−Ｓ２断面図であって、溝部５ｇ及び鰭部５ｈを説明するための図である。
図７は、鰭部５ｈの撓みを説明するための斜視図である。
図８は、外耳道内の圧力について説明するための図である。
【００１８】
図６に示されるように、溝部５ｇは例えば断面弧状に抉られた溝であり、鰭部５ｈは、周方向の中央位置において径方向に沿って形成されたスリット５ｈ３を有している。スリット５ｈ３により、鰭部５ｈは、鰭部５ｈ１と鰭部５ｈ２との二つの部分に分割されている。
このスリット５ｈ３は単なる切れ込みでよく、圧力がかかっていない無負荷状態においてほとんど隙間を持たないように形成されている。
【００１９】
鰭部５ｈ１，５ｈ２は、所定の柔軟性を有して撓めるように、厚さが比較的薄く形成されている。また、先端が音筒部１ａの外周面１ａ２に接触又は極近接するように形成されている。
これにより、鰭部５ｈは、圧力がかかっていない状態で溝部５ｇを塞ぎ、空間Ａと空間Ｂとの間を空気流通ができない閉状態とする。
【００２０】
図７は、ヘッドホン５１の使用状態で、空間Ｖ１と空間Ｖ２との間、すなわち空間Ａと空間Ｂとの間に所定値以上の圧力差が生じた場合の、鰭部５ｈの変形を説明するための図である。図７では、音筒部１ａを非表示として内部側から斜視的に示されている。
例えば空間Ａの圧力が空間Ｂよりも所定値以上高い場合、各鰭部５ｈ１，５ｈ２は、空間Ａ側から空間Ｂ側に撓むように変形する。
これにより、スリット５ｈ３及び鰭部５ｈ１，５ｈ２の先端と音筒部１ａの外周面１ａ２との間には、隙間が生じて開状態となり、溝部５ｇ内における空間Ａ側から空間Ｂ側への空気の移動（矢印参照）が許容される。そして、空間Ａが空間Ｂ（外気）に対して所定の値以上の高い圧力になることが防止される。
【００２１】
すなわち、このイヤーピース５を装着したヘッドホン５１は、耳に装着する際に、傘状部１ｂの進入に伴う外耳道内の空間圧力が所定値以上にはならないので、スピーカユニット７の振動板が、耳に装着する際の圧力によって駆動軸方向に大きく移動することはなく、振動板自体の部分的変形も生じない。
従って、ヘッドホン５１は、耳への装着に伴う振動板起因の、音量低下，ボイスコイルの断線，音質劣化，及び異音の発生という不具合が生じないようになっている。
【００２２】
ところで、従来のヘッドホンにおける外耳道内の圧力変化は、イヤーピース挿入時の圧力上昇と、使用時の振動板の振動に伴う往復動による圧力増減と、イヤーピース抜去時の圧力減少と、に大別される。
挿入時については、従来のヘッドホンを耳に装着する際にイヤーピースが外耳道内に密着しつつ挿入される移動量が約５ｍｍであることから、従来のヘッドホンでは、この５ｍｍの分だけ容積が減少して外耳道内の空気が圧縮されることになる。また、外耳道内で高圧となった空気は、わずかな漏れ等により時間が経つにつれ減圧して最終的には外気圧と概ね同等になる。
抜去時については、逆に移動量である約５ｍｍの分だけ容積が拡張して空気が膨張させられて負圧となる。
音声出力時の振動板の振動は、片振幅で最大で約０．１ｍｍであり、この量に対応する容積増減で、空気は圧縮と膨張とを反復させられる。
この振動板の片振幅は、挿入（及び抜去）時の移動量に対して２％程度しかない。従って、音声出力時の外耳道内空間の圧力変化は、挿入及び抜去時の圧力変化に比べて遙かに小さい。
なお、上記の数値は、スピーカユニット７を音筒部１ａの先端に配設したタイプのヘッドホンにおける数値であるが、スピーカユニット７をハウジング１Ｈ内部に収容したタイプのヘッドホンであっても、振動板の片振幅は、挿入（及び抜去）時の移動量に対して数％程度しかなく、音声出力時の外耳道内空間の圧力変化は、挿入及び抜去時の圧力変化に比べて遙かに小さい。
【００２３】
従来のヘッドホンにおける外耳道内の圧力変化は、概略図８のグラフのようになっている。この圧力変化を生じる時間域は、イヤーピース挿入動作に対応する挿入域Ｓ１と、音声出力時に対応する振動域Ｓ２と、イヤーピース抜去動作に対応する抜去域Ｓ３と、の帯域に大別される。
挿入域Ｓ１では、圧力は、挿入から所定の使用位置に到達して最大圧力である圧力Ｐ１となるまで上昇し、その後、少しずつ空気が漏れ出ることで徐々に減衰して最終的に外気圧と同等になる。
振動域Ｓ２では、最大出力時に対応する最大正圧である圧力Ｐ３と最大負圧である圧力Ｐ４の間を変動する。
抜去域Ｓ３では、圧力は徐々に最大負圧まで減少し、イヤーピースが外耳道から抜け出たときに一気に上昇して外気圧に戻る。
【００２４】
ここで、実施形態のイヤーピース５は、鰭部５ｈが撓んで空間Ａと空間Ｂとの間の空気流通を許容する最小の圧力として閾圧力ＰＳ１，ＰＳ２が予め設定されており、鰭部５ｈは、この閾圧力ＰＳ１を超えたときに開状態となる弁体として動作するように形状，厚さ，スリットの入れ方等が決められて形成されている。閾圧力ＰＳ２は閾圧力ＰＳ１に対して絶対値が同じで逆符号なる圧力である。
具体的には、閾圧力ＰＳ１は、圧力Ｐ１より小さく、圧力Ｐ３よりも大きい圧力である。また、閾圧力ＰＳ２は、圧力Ｐ２よりも大きく（絶対値が小さく）、圧力Ｐ４よりも小さい（絶対値が大きい）圧力である。
閾圧力ＰＳ１（ＰＳ２）は、圧力Ｐ３（Ｐ４）に近いほど、挿入及び抜去時に振動板が高い圧力にさらされにくいので好ましい。
【００２５】
この設定により、鰭部５ｈは、イヤーピース５の外耳道内への挿入時及びイヤーピース５の外耳道からの抜去時において、空間Ａと空間Ｂとの空気流通を許容すると共に、耳に装着された状態での音声出力時においては、空間Ａと空間Ｂとの空気流通を禁止して外耳道内の空間を密閉状態で維持する。
空間Ａと空間Ｂとの間の空気流通が許容された状態での空気の流れは、図５において矢印で示されている。すなわち、空間Ｖ１の空気は、溝部５ｇの空間Ａから、撓んで隙間が作られた鰭部５ｈを経て溝部５ｇの空間Ｂに入り、周リブ部５ｆを通過して外側の空間Ｖ２に抜ける。
なお、空間Ｂにおける周リブ部５ｆに隣接する部分（符号Ｂの引き出し線の先端付近の空間）を、空間Ｂにおける他の部分よりも、音筒部１ａの径方向（筒状の基部５ａの周方向）に広い空間にすることが好ましい。このような広い空間（空気室５ｊ）を設けることで、ある一定量の空気がたまる構造になり、空気が周リブ部５ｆを通過して外側の空間Ｖ２に抜けやすくなる。
【００２６】
これにより、イヤーピース５を備えたヘッドホン５１は、耳に対する挿抜に伴う振動板起因の、音量低下，ボイスコイルの断線，音質劣化，及び異音の発生という不具合を生じることはなく、遮音性が高く、外部騒音の影響を受けることなく高品位の音声を使用者は聴取することができる。
【００２７】
本発明の実施例は、上述した構成に限定されるものではなく、本発明の要旨を逸脱しない範囲においてさらに別の変形例としてもよいのは言うまでもない。
【００２８】
溝部５ｇは断面形状が弧状であるものに限らず、音筒部１ａの外周面１ａ２と共に空間Ａと空間Ｂとを形成し、鰭部５ｈを介して空間Ａと空間Ｂとの間の空気流通が可能な形状であれば断面形状は限定されない。
また、図９には溝部５ｇの変形例が示されている。図９は図６に対応した図である。
例えば、図９（ａ）のように、断面が矩形状であってもよく、図９（ｂ）のように断面が三角状であってもよく、図９（ｃ）のように断面が台形状であってもよい。
【００２９】
一方、鰭部５ｈは、上述の閾圧力ＰＳ１，ＰＳ２が設定され得るものであれば、形状等は限定されない。
図１０には鰭部５ｈの変形例が示されている。図１０は図６に対応した図である。
例えば、図１０（ａ）に示されるように、基部５ａに対して溝部５ｇの底部５ｇ１でのみ連結されていて、側部５ｇ２，５ｇ３とはスリット５ｈ３により分離しているものとしてもよい。
また、図１０（ｂ）に示されるように、鰭部５ｈに複数のスリット５ｈ３を設けたものとしてもよい。この複数のスリット５ｈ３の設け方も限定されない。例えば互いに平行としてもよく、放射状に設けてもよい。
【００３０】
溝部５ｇは、軸線ＣＬ１に沿って設けられるものに限らない。例えば、螺旋状に形成されていてもよい。また、溝部５ｇが設けられる周方向位置及びその数も限定されない。
溝部５ｇが設けられる周方向位置については、外耳道の断面形状が一般的にやや縦長（人の起立状態で天地方向に長い）であるため、耳への装着状態で溝部５ｇがつぶされることなく溝部５ｇにより確実に空間を確保できるように、音筒部１ａにおける上下方向（耳への装着状態での頭頂−首方向）に位置するようになっていると好ましい。
そのため、ヘッドホン５１を耳に装着する際に、溝部５ｇの位置をイヤーピース５の外観上で視認できるように、外面における溝部５ｇに対応した位置にマーク５ｍを設けておくとよい。
【００３１】
図１１は、マーク５ｍを設けたイヤーピース５を示す外観斜視図である。
この例では、溝部５ｇを周方向に９０°間隔で四箇所設けた場合のマーク５ｍが示されている。すなわち、マーク５ｍは、イヤーピース５の先端面の溝部５ｇに対応した位置に合計四箇所凹部として設けられている。
このマーク５ｍは、例えば、イヤーピース５の成形時に形成する凹部若しくは凸部、又は二次的に塗布されたインクなどである。
【００３２】
そして、マーク５ｍが設けられているイヤーピース５は、ヘッドホン５１の音筒部１ａに嵌着させる際に、マーク５ｍのいずれかを、ヘッドホン５１を耳に装着した状態で頭頂方向（天方向）、又は首方向（地方向）に位置する向きに嵌着させることで、その方向に溝部５ｇを配置することができる。なお、必ずしも、溝部５ｇがある位置にマーク５ｍを設ける必要はなく、溝部５ｇがある位置に応じた位置にマーク５ｍを設ければよい。例えば、溝部５ｇがある位置に応じて、溝部５ｇがある位置から周方向で９０°ずらした位置に「前」や「後」等のマークを設けてもよい。
従って、外耳道の断面形状が縦長であっても、使用状態で溝部５ｇが潰れる虞がほとんどなく、ヘッドホン５１を、遮音性が高く高品位の再生音を聴取するできる状態で使用することができる。
【００３３】
ヘッドホン５１における、スピーカユニット７をハウジング１Ｈ内部に収容したタイプと、音筒部１ａの先端に配設したタイプと、の両方にイヤーピース５を共用する場合、前者では音筒部１ａの長さが短いので、鰭部５ｈは、音筒部１ａの長さに対応して溝部１ｇの内の周リブ部５ｆに近い部分に設けるとよい。
【符号の説明】
【００３４】
１  本体部
１ａ  音筒部
１ａ１  周溝部
１ａ２  外周面
１Ｈ  ハウジング
２  ブッシング
３  コード
３ａ，３ｂ  単コード
５  イヤーピース
５ａ  基部
５ｂ  傘状部
５ｃ  開口部
５ｄ  ホルダ嵌合部
５ｅ  音筒嵌合部
５ｆ  周リブ部
５ｇ  溝部
５ｇ１  底部
５ｇ２，５ｇ３  側部
５ｈ，５ｈ１，５ｈ２  鰭部
５ｈ３  スリット
５ｊ  空気室
５ｍ  マーク
６  ユニットホルダ
６ａ  底部
７  スピーカユニット
７ａ  放音面
７ｂ  裏面
７ｃ  端子
５１  ヘッドホン
Ａ，Ｂ，Ｖ１，Ｖ２  空間
ＣＬ１  軸線
Ｐ１〜Ｐ４  圧力
ＰＳ１，ＰＳ２  閾圧力
Ｓ１  挿入域
Ｓ２  振動域
Ｓ３  抜去域
ＴＫ  通気部
【図１】
0005747860.tif 000002
【図２】
0005747860.tif 000003
【図３】
0005747860.tif 000004
【図４】
0005747860.tif 000005
【図５】
0005747860.tif 000006
【図６】
0005747860.tif 000007
【図７】
0005747860.tif 000008
【図８】
0005747860.tif 000009
【図９】
0005747860.tif 000010
【図１０】
0005747860.tif 000011
【図１１】
0005747860.tif 000012